(57)【特許請求の範囲】
【請求項１】
容器本体(１a)の後部にヒンジ部(９)を設け、このヒンジ部(９)に蓋体(７)の後部に設けたヒンジピン(１１)を枢支して、蓋体(７)を容器本体(１a)に対して弧回動開閉自在に装着し、しかもこのヒンジピン(１１)をヒンジ部(９)より取外し自在とした容器の蓋体着脱構造であって、
ヒンジ部(９)には、ヒンジピン(１１)を介して蓋体(７)を弧回動開閉自在に枢支する溝(１２)付きの鉤状係止部(１３)と、左、右側壁部(１５)、(１５)と、鉤状係止部(１３)の前面にあってヒンジピン(１１)の前方離脱を防ぐ前壁部(１６)とが一体的に設けられ、
鉤状係止部(１３)と前壁部(１６)との間が、ヒンジピン(１１)を鉤状係止部(１３)の溝(１２)内に導通する挿通部(１４)とされ、前壁部(１６)と、左、右側壁部(１５)、(１５)と、鉤状係止部(１３)の下部後壁部とによって、下端が開口した止め板摺動用空間部(１８)が形成され、
左、右側壁部(１５)、(１５)の外側がそれぞれ左、右下段部(２０)、(２０)とされ、左、右下段部(２０)、(２０)にそれぞれ上下に貫通したバネ用孔(２１)、(２１)が穿設され、
鉤状係止部(１３)の下部後壁部に後端開口(２３)が穿設され、ヒンジ部(９)には、鉤状係止部(１３)の溝(１２)内に装着したヒンジピン(１１)が挿通部(１４)の上端挿通口(１９)から抜け出ることを規制する上下動自在の止め板(２４)と、止め板(２４)を押し上げる止め板用バネ(２５)とが設けられ、
止め板(２４)は、止め板摺動用空間部(１８)内を上下動する垂直壁部(２６)と、この垂直壁部(２６)の上端より前方に延びた水平壁部(２７)と、この水平壁部の前方上端より上方に延び、挿通部(１４)の上端挿通口(１９)を閉鎖するように前壁部(１６)に沿って設けられる止め壁部(２８)と、止め板摺動用空間部(１８)内から後端開口(２３)へ突出した指掛け部(２９)とが一体形成されたものであり、
止め板用バネ(２５)の端部は、バネ用孔(２１)、(２１)を形成する側壁に係止され、止め板(２４)を止め板用バネ(２５)に抗して押し下げると、挿通部(１４)の上端挿通口(１９)が開放されて、蓋体(７)のヒンジピン(１１)を取り外すことができることを特徴とする容器の蓋体着脱構造。
【発明の詳細な説明】
【０００１】
【発明の属する技術分野】
本発明は、弧回動開閉自在でかつ取外し自在な容器の蓋体着脱構造に関するものである。
【０００２】
【従来の技術】
従来、容器の蓋体着脱構造は、容器本体の肩部材の後部にヒンジ部を設け、このヒンジ部に溝付きの鉤状係止部を形成し、蓋体のヒンジピンをこの鉤状係止部の溝内に弧回動自在に枢支していた。しかもこの鉤状係止部の溝内にヒンジピンを導く導通路を鉤状係止部の前方より斜め後部下方に向けて傾斜させているか又は後方より斜め前部下方に向けて傾斜させて、蓋体のヒンジピンをこの導通路に沿わせ取外し自在としていた。
【０００３】
【発明が解決しようとする課題】
しかしながら、従来のこの種の容器の蓋体着脱構造にあっては、蓋体の取外しが導通路に沿って簡単にできる利点はあったが、蓋体の離脱時のみに限らず蓋体を弧回動に開閉する際に、全く予期せず勝手に蓋体のヒンジピンが導通路に沿って移動し、鉤状係止部の溝内より離脱してしまうという問題点があった。
【０００４】
そこで、本発明は、このような従来の容器の蓋体着脱構造が有していた課題を解決するために、蓋体の弧回動開閉並びに着脱の操作が容易かつ確実に行われると共に簡単な構造にして組立作業も極めて容易に行うことを目的とした容器の蓋体着脱構造を提供することにある。
【０００５】
【課題を解決するための手段】
上記目的を達成するために、本発明の容器の蓋体着脱構造は、ヒンジ部９には、ヒンジピン１１を介して蓋体(７)を弧回動開閉自在に枢支する溝１２付きの鉤状係止部１３と、左、右側壁部１５、１５と、鉤状係止部１３の前面にあってヒンジピン１１の前方離脱を防ぐ前壁部１６とが一体的に設けられ、
鉤状係止部１３と前壁部１６との間が、ヒンジピン１１を鉤状係止部１３の溝１２内に導通する挿通部１４とされ、前壁部１６と、左、右側壁部１５、１５と、鉤状係止部１３の下部後壁部とによって、下端が開口した止め板摺動用空間部１８が形成され、
左、右側壁部１５、１５の外側がそれぞれ左、右下段部２０、２０とされ、左、右下段部２０、２０にそれぞれ上下に貫通したバネ用孔２１、２１が穿設され、鉤状係止部１３の下部後壁部に後端開口２３が穿設され、
ヒンジ部９には、鉤状係止部１３の溝１２内に装着したヒンジピン１１が挿通部１４の上端挿通口１９から抜け出ることを規制する上下動自在の止め板２４と、止め板２４を押し上げる止め板用バネ２５とが設けられ、
止め板２４は、止め板摺動用空間部１８内を上下動する垂直壁部２６と、この垂直壁部２６の上端より前方に延びた水平壁部２７と、この水平壁部の前方上端より上方に延び、挿通部１４の上端挿通口１９を閉鎖するように前壁部１６に沿って設けられる止め壁部２８と、止め板摺動用空間部１８内から後端開口２３へ突出した指掛け部２９とが一体形成されたものであり、
止め板用バネ２５の端部は、バネ用孔２１、２１を形成する側壁に係止され、止め板２４を止め板用バネ２５に抗して押し下げると、挿通部１４の上端挿通口１９が開放されて、蓋体７のヒンジピン１１を取り外すことができるとする構成としている。
【０００６】
【発明の実施の形態】
以下、本発明の実施例を空気圧利用の容器について図に基づき説明する。
図中、図１は本発明実施例の空気圧利用容器の縦断面図、図２は本発明実施例の肩部材の平面図、図３は図２のＡ−Ａ線拡大断面図、図４は図１のイを示す拡大図、図５は図４の止め板の降下状態を示す説明図、図６は本発明実施例の要部を示す分解斜視図である。
【０００７】
空気圧利用の容器１は、内容器２と、内容器２を囲んで外装ケース３と、外装ケース３の上端に無理嵌め結合した肩部材４と、外装ケース３の下端に結合した底部材５とを備えた容器本体１aと、肩部材４の中央開口より着脱自在に装着する中栓６と、肩部材４の上端面にベローズポンプ３４内蔵の開閉自在に装着する蓋体７とから構成されている。
８は、把手である。
【０００８】
内容器２は、ガラス又はステンレス等の金属製材料による一重瓶、又は真空二重瓶である。
外装ケース３は、薄い鉄板を円筒状にはぜ折りし、上端を内側へ折り曲げ、下部にネジ輪を内嵌めして、内側へカーリングしている。
肩部材４は、図６に示すように、中央を開口した略すりばち状の受け皿部と、この受け皿部の突端より下方に垂下した環状嵌合部と、環状嵌合部の後部に容器の蓋体着脱構造の一部で蓋体７をヒンジ止めするヒンジ部９と、受け皿部前方に突出した嘴部１０とからなっている。
【０００９】
肩部材４の受け皿部の中央開口は、内容器２口元のシールパッキンを介して内容器２内と連通している。
肩部材４の環状嵌合部の外周壁には、外装ケース３上端の折り曲げ部分を嵌め込む環状溝が設けられている。
肩部材４の嘴部は、受け皿部の前面を窪ませて受け皿部の中央開口と連通している。
【００１０】
この嘴部１０には、先端に後述の吐出パイプを挿通する開口が設けられており、左，右側壁内側に後述の蓋体７のロック装置のロック爪を係止するロック爪用係止片が設けられている。
底部材５は、外装ケース３下端内側のネジ輪に螺着するリング状の底板と、底板の中央開口に螺着し内容器２を押上げている締上げ部材とからなっている。
【００１１】
肩部材４のヒンジ部９には、図６に示すように、ヒンジピン１１を介して蓋体７を弧回動自在に枢支する溝１２付きの鉤状係止部１３が設けられ、このヒンジ部９には、鉤状係止部１３の前方にヒンジピン１１を鉤状係止部１３の溝１２内に導く挿通部１４が設けられている。
このヒンジ部９には、挿通部１４形成する両側の左、右側壁部１５、１５と、鉤状係止部１３の前面にあって蓋体７のヒンジピン１１の前方離脱を防ぐ前壁部１６と、鉤状係止部１３と、鉤状係止部１３の下部後壁部とが一体的に形成されている。
このヒンジ部９には、一体的に形成された上述の左、右側壁部１５、１５、前壁部１６、鉤状係止部１３、下部後壁部とにて囲まれた内部が挿通部１４と連なる空間の止め板摺動用空間部１８となっている。止め板摺動用空間部１８の下端は、外部と連なる下端開口１７となっている。
【００１２】
ヒンジ部９の溝１２付きの鉤状係止部１３は、図４乃至図６に示すように、両側の左，右側壁部１５、１５よりも上方に位置しており、前方を開放して左右方向に長く延びている。したがって、鉤状係止部１３の溝１２も左右方向に細長く延びている。
ヒンジ部９の挿通部１４には、図４及び図５に示すように、上端を上端挿通口１９とし、下端が止め板摺動用空間部１８に連通されている。上端挿通口１９では、蓋体７のヒンジピン１１が自由に挿通できる大きさに形成されている。
【００１３】
ヒンジ部９の前壁部１６は、図４及び図５に示すように、挿通部１４の上端挿通口１９の高さと同等またはそれよりも高く形成されている。
ヒンジ部９の左，右側壁部１５、１５は、図２、図３、図６に示すように、鉤状係止部１３の左右両側にあって、前壁部１６よりもわずかに低く形成されており、左，右側壁部１５、１５のそれぞれ外側を一段低く形成した左，右下段部２０、２０とされている。
【００１４】
この左，右下段部２０、２０には図２、図３、図６に示すように、それぞれ上下に貫通したバネ用孔２１、２１が穿設されている。
このバネ用孔２１は、それぞれヒンジ部９の止め板摺動用空間部１８と連通されており、図３に示すように、バネ用孔を形成する側壁に後述の止め板用バネ２５の端部を係止するバネ用爪２２がそれぞれ設けられている。
鉤状係止部１３の下部後壁部には、図６に示すように、止め板摺動用空間部１８と連通する後端開口２３が穿設されている。
【００１５】
このヒンジ部９には、図３乃至図５に示すように、鉤状係止部１３の溝１２内に装着した蓋体７のヒンジピン１１が挿通部１４を通り上端挿通口１９より抜け出るのを規制する上下動自在の止め板２４と、止め板摺動用空間部１８内より止め板２４を押し上げている止め板用バネ２５とが設けられている。
この止め板２４には、図６に示すように、止め板摺動用空間部１８内を上下動する垂直壁部２６と、この垂直壁部２６の上端面より前方にのばされた水平壁部２７と、挿通部１４の左右幅よりも小さい幅でこの水平壁部２７の前方上端より上方に延ばされた止め壁部２８と、止め板摺動用空間部１８内から後端開口２３へ突出した指掛け部２９とが一体的に形成されている。
【００１６】
この止め板２４の止め壁部２８は、図４に示すように、その上端をヒンジ部９の鉤状係止部１３の前面と前壁部１６との間の挿通部１４の上端挿通口１９にあって、この上端挿通口１９を閉鎖するように前壁部１６に沿って設けられており、止め板２４の降下時には、図５に示すように、前壁部１６に沿って降下して、挿通部１４とその上端挿通口１９とを大きく開放して、蓋体７のヒンジピン１１が通り抜けられるようにしている。
【００１７】
そして蓋体７のヒンジピン１１をヒンジ部９から離脱するには、止め板２４の指掛け部２９に指を掛け、止め板用バネ２５に抗して押し下げて、ヒンジ部９鉤状係止部１３と前壁部１６との間の挿通部１４を広く開けた状態で蓋体７のヒンジピン１１を鉤状係止部１３の溝１２より前方へ移動させ、この鉤状係止部１３と前壁部１６との大きく開いた上端挿通口１９より上方へ引き上げればよい。
【００１８】
また、蓋体７のヒンジピン１１をヒンジ部９へ装着するには、離脱時と同様に止め板２４を押し下げた状態で、ヒンジピン１１を挿通部１４の上端挿通口１９上方より挿通部１４に入れ、鉤状係止部１３の溝１２内に導いた後、止め板２４を離せば止め板用バネ２５のバネ力によって止め板２４を押し上げ、止め板２４の止め壁部２８が挿通部１４を閉鎖してヒンジピン１１を弧回動自在に枢支することとなる。
【００１９】
中栓６は、図１に示すように、中栓本体３０と、内容器２内の液体を中栓本体３０内に圧送する揚水パイプ３１と、中栓本体内の液体を容器１前方外部へ吐出する吐出パイプ３２とからなっている。この揚水パイプ３１と中栓本体３０内の液体通路と吐出パイプ３２にて外部へ吐出する液体吐出通路が形成されている。３３は、容器転倒時、揚水パイプ３１からの液体を吐出パイプ３２に吐出するのを阻止する止水弁である。
【００２０】
蓋体７は、ヒンジピン１１を介して肩部材４のヒンジ部に揺動自在に枢支され、ロック装置のロック爪にて肩部材４に開閉自在に装着しており、ベローズポンプ３４と、このベローズポンプ３４を押し上げているスプリング３５と、ベローズポンプ３４の上部開口を開閉するプッシュ弁３６と、このプッシュ弁３６を押圧し、ベローズポンプ３４内の空気を内容器２内に圧送するレバー操作機構３７とが内蔵され、下面が下板３８にて覆われ、下板３８の中央開口に中栓本体３０と連通するゴムブッシュが嵌め込まれている。
【００２１】
ベローズポンプ３４には、蛇腹部と、蛇腹部上、下端の肉厚な上板部及び下板部とが形成されており、上板部の中央に空気供給用の上部開口が設けられ、下板部の中央に内部中空な空気排出用筒部が設けられている。
プッシュ弁３６には、上部の平板部と、平板部の下面より下方に垂設し、その先端がベローズポンプ３４の上板部の上部開口を形成する周壁下面に当接された複数の爪とが一体的に設けられている。
スプリング３５には、下端がベローズポンプ３４内の下板部上面に当接され、上端がプッシュ弁３６の平板部下面で爪内側に当接されている。
【００２２】
レバー操作機構３７は、ベローズポンプ３４を押圧する蓋体内のレバー３９と、このレバー３９を蓋体上壁外面で操作する操作レバー４０と、この操作レバー４０を収納状態に保持するように作用する操作レバー用バネ４１、この操作レバー４０の操作状態をレバー３９に伝達する蓋体内のアーム４２と、このアーム４２を起立保持するように作用するアーム用バネ４３とからなっている。
【００２３】
レバー操作機構３７により押圧操作するには、操作レバー４０の自由端を起立し、操作レバー４０、アーム４２、レバー３９を係合し、それぞれ連動させてベローズポンプ３４を押圧可能な状態として、操作レバー４０を下動操作すると、アーム４２を介してレバー３９の自由端がプッシュ弁３６を押下げベローズポンプ３４を押下げて、圧縮した空気を内容器２内に圧送する。操作レバー下動後、ベローズポンプ３４内のスプリング３５のバネ力によって、操作レバー４０を復帰させ、この操作レバー４０の下動操作の繰り返しにより内容器２内の液体を中栓６を介して外部へ吐出する。
【００２４】
以上本発明の代表的と思われる実施例について説明したが、本発明は必ずしもこれらの実施例構造のみに限定されるものではなく、例えば湯沸かし、保温をする電気ポット、又は蓋体を備えた水差しや卓上用の魔法瓶等のように、本発明にいう前記の構成要件を備え、かつ、本発明にいう目的を達成し、以下にいう効果を有する範囲内において適宜改変して実施することができるものである。
【００２５】
【発明の効果】
以上の説明から既に明らかなように、本発明にいうところの容器の蓋体着脱構造は、ヒンジ部には、ヒンジピンを介して蓋体を弧回動開閉自在に枢支する溝付きの鉤状係止部と、左、右側壁部と、鉤状係止部の前面にあってヒンジピンの前方離脱を防ぐ前壁部とが一体的に設けられ、
鉤状係止部と前壁部との間が、ヒンジピンを鉤状係止部の溝内に導通する挿通部とされ、前壁部と、左、右側壁部と、鉤状係止部の下部後壁部とによって、下端が開口した止め板摺動用空間部が形成され、
左、右側壁部の外側がそれぞれ左、右下段部とされ、左、右下段部にそれぞれ上下に貫通したバネ用孔が穿設され、鉤状係止部の下部後壁部に後端開口が穿設され、
ヒンジ部には、鉤状係止部の溝内に装着したヒンジピンが挿通部の上端挿通口から抜け出ることを規制する上下動自在の止め板と、止め板を押し上げる止め板用バネとが設けられ、
止め板は、止め板摺動用空間部内を上下動する垂直壁部と、この垂直壁部の上端より前方に延びた水平壁部と、この水平壁部の前方上端より上方に延び、挿通部の上端挿通口を閉鎖するように前壁部に沿って設けられる止め壁部と、止め板摺動用空間部内から後端開口へ突出した指掛け部とが一体形成されたものであり、
止め板用バネの端部は、バネ用孔を形成する側壁に係止され、止め板を止め板用バネに抗して押し下げると、挿通部の上端挿通口が開放されて、蓋体のヒンジピンを取り外すことができるとする構成としたものであるから、蓋体の弧回動開閉並びに着脱の操作が容易かつ確実に行われると共に簡単な構造にして組立作業も極めて容易にできるという顕著な効果を期待することが出来るに至ったのである。
【図面の簡単な説明】
【図１】  本発明実施例の空気圧利用容器の縦断面図。
【図２】  本発明実施例の肩部材の平面図。
【図３】  図２のＡ−Ａ線拡大断面図。
【図４】  図１のイを示す拡大図。
【図５】  図４の止め板の降下状態を示す説明図。
【図６】  本発明実施例の要部を示す分解斜視図。
【符号の説明】
１  容器
１a  容器本体
２  内容器
３  外装ケース
４  肩部材
５  底部材
６  中栓
７  蓋体
８  把手
９  ヒンジ部
１０  嘴部
１１  ヒンジピン
１２  溝
１３  鉤状係止部
１４  挿通部
１５、１５  左，右側壁部
１６  前壁部
１７  下端開口
１８  止め板摺動用空間部
１９  上端挿通口
２０、２０  左，右下段部
２１  バネ用孔
２２  バネ用爪
２３  後端開口
２４  止め板
２５  止め板用バネ
２６  垂直壁部
２７  水平壁部
２８  止め壁部
２９  指掛け部
３０  中栓本体
３１  揚水パイプ
３２  吐出パイプ
３３  止水弁
３４  ベローズポンプ
３５  スプリング
３６  プッシュ弁
３７  レバー操作機構
３８  下板
３９  レバー
４０  操作レバー
４１  操作レバー用バネ
４２  アーム
４３  アーム用バネ
【図１】
0004565675.tif 000002
【図２】
0004565675.tif 000003
【図３】
0004565675.tif 000004
【図４】
0004565675.tif 000005
【図５】
0004565675.tif 000006
【図６】
0004565675.tif 000007